【事件の表示】
　特願２０１７−２２３４１５号「遊技機」拒絶査定不服審判事件〔平成３０年　３月１５日出願公開、特開２０１８−　３８８７４号〕について、次のとおり審決する。
【結　論】
　本件審判の請求は、成り立たない。
【理　由】
第１　手続の経緯
　本願は、平成２８年９月８日に出願した特願２０１６−１７５５８９号の一部を平成２９年１１月２１日に新たな特許出願（特願２０１７−２２３４１５号）としたものであって、平成３０年８月１５日付けで拒絶の理由が通知され、同年１０月１日に意見書及び手続補正書が提出され、平成３１年１月１０日付けで最後の拒絶の理由が通知され、同年２月２８日に意見書及び手続補正書が提出されたところ、同年３月２５日付けで、同年２月２８日付け手続補正が却下されるとともに拒絶査定がなされ、それに対して、令和１年５月２２日に拒絶査定不服審判の請求がなされると同時に手続補正がなされたものである。
第２　令和１年５月２２日にされた手続補正についての補正の却下の決定
［補正の却下の決定の結論］
　令和１年５月２２日にされた手続補正（以下「本件補正」という。）を却下する。
［理由］
１　本件補正の概要
　本件補正は特許請求の範囲の請求項１の記載を含む補正であり、平成３０年１０月１日にされた手続補正と本件補正の特許請求の範囲の請求項１の記載はそれぞれ、以下のとおりである（下線部は補正箇所を示す。）。
（補正前：平成３０年１０月１日付けの手続補正）
「【請求項１】
　遊技者に有利な特別遊技を実行するか否かを判定し、該判定結果に応じた遊技演出を実行可能な遊技機において、
　前記遊技演出の実行中において、前記特別遊技が実行されることを期待させる特定演出を実行することが可能な特定演出実行手段と、
　前記特定演出の実行時期に特定表示となるように、表示手段に表示させたタイマーを更新するタイマー演出を実行することが可能なタイマー演出実行手段と、を備え、
　前記特定演出には、
　少なくとも第１特定演出と、該第１特定演出とは異なる第２特定演出とがあり、
　前記タイマー演出には、
　前記第１特定演出の実行時期に前記特定表示となる第１タイマー演出と、前記第２特定演出の実行時期に前記特定表示となる第２タイマー演出とがあり、
　前記タイマー演出実行手段は、
　前記タイマーが前記特定表示となった後で実行される前記特定演出の種類に基づいて、前記タイマーの時間を設定し、
　前記第１特定演出及び前記第２特定演出が実行される前記遊技演出の実行中において、前記第１タイマー演出と前記第２タイマー演出とを開始時期をずらして実行可能であることを特徴とする遊技機。」
（補正後：本件補正）
「【請求項１】
　遊技者に有利な特別遊技を実行するか否かを判定し、
前記
の
種類の
　前記遊技演出の実行中において、前記特別遊技が実行されることを期待させる特定演出を実行することが可能な特定演出実行手段と、
　前記特定演出の実行時期に特定表示となるように、
画像
　前記特定演出には、
　少なくとも第１特定演出と、該第１特定演出とは異なる第２特定演出とがあり、
　前記タイマー演出には、
　前記第１特定演出の実行時期に前記特定表示となる第１タイマー演出と、前記第２特定演出の実行時期に前記特定表示となる第２タイマー演出とがあり、
　前記タイマー演出実行手段は、
　前記タイマーが前記特定表示となった後で実行される前記特定演出の種類に基づいて、
複数のタイマー値のうちの何れかのタイマー値で前記タイマー演出を実行可能であり
　前記第１特定演出及び前記第２特定演出が実行される前記遊技演出の実行中において、前記第１タイマー演出と前記第２タイマー演出とを開始時期をずらして実行可能であ
り、
　
前記第１タイマー演出及び前記第２タイマー演出が実行される同一の前記遊技演出において、前記第１タイマー演出の実行期間と前記第２タイマー演出の実行期間とが重複する場合と、前記第１タイマー演出の実行期間と前記第２タイマー演出の実行期間とが重複しない場合とがある
２　補正の適否
（１）補正事項
　本件補正は、補正前の請求項１について、以下に挙げる補正事項を含むものである。
ア　補正前の請求項１に記載された
「遊技者に有利な特別遊技を実行するか否かを判定し、該判定結果に応じた遊技演出を実行可能な遊技機において、」という記載を、
「遊技者に有利な特別遊技を実行するか否かを判定し、
前記
の
種類の
イ　補正前の請求項１に記載された
「表示手段」という記載を、
「
画像
ウ　補正前の請求項１に記載された
「前記タイマーが前記特定表示となった後で実行される前記特定演出の種類に基づいて、前記タイマーの時間を設定し、」という記載を、
「前記タイマーが前記特定表示となった後で実行される前記特定演出の種類に基づいて、
複数のタイマー値のうちの何れかのタイマー値で前記タイマー演出を実行可能であり
　
エ　補正前の請求項１に記載された
「前記第１特定演出及び前記第２特定演出が実行される前記遊技演出の実行中において、前記第１タイマー演出と前記第２タイマー演出とを開始時期をずらして実行可能であることを特徴とする遊技機。」という記載を、
「前記第１特定演出及び前記第２特定演出が実行される前記遊技演出の実行中において、前記第１タイマー演出と前記第２タイマー演出とを開始時期をずらして実行可能であ
り、
　
前記第１タイマー演出及び前記第２タイマー演出が実行される同一の前記遊技演出において、前記第１タイマー演出の実行期間と前記第２タイマー演出の実行期間とが重複する場合と、前記第１タイマー演出の実行期間と前記第２タイマー演出の実行期間とが重複しない場合とがある
（２）補正の目的についての検討
ア　補正事項アは、「判定し、該判定結果に応じた遊技演出を実行可能」という記載を、「判定し、
前記
の
種類の
の
種類の
イ　補正事項イは、「表示手段」が、「
画像
ウ　補正事項ウは、「前記特定演出の種類に基づいて、前記タイマーの時間を設定し、」という記載を、「前記特定演出の種類に基づいて、
複数のタイマー値のうちの何れかのタイマー値で前記タイマー演出を実行可能であり
複数のタイマー値のうちの何れかのタイマー値で前記タイマー演出を実行可能であ
　
エ　補正事項エは、「
前記第１タイマー演出及び前記第２タイマー演出が実行される同一の前記遊技演出において、前記第１タイマー演出の実行期間と前記第２タイマー演出の実行期間とが重複する場合と、前記第１タイマー演出の実行期間と前記第２タイマー演出の実行期間とが重複しない場合とがある
（３）新規事項についての検討
ア　補正事項アについて検討する。
　補正事項アは、【０５８４】〜【０５９６】、図４６の記載に基づくものであるから、新規事項を追加するものではない。
イ　補正事項イについて検討する。
　補正事項イは、【０５６９】の記載に基づくものであるから、新規事項を追加するものではない。
ウ　補正事項ウについて検討する。
　補正事項ウは、【０７２４】〜【０７５４】、図５９〜６１の記載に基づくものであるから、新規事項を追加するものではない。
エ　補正事項エについて検討する。
　補正事項エは、【０７７４】〜【０７７５】、図６３（ｄ）の記載に基づくものであるから、新規事項を追加するものではない。
（４）以上のとおり、本件補正後の請求項１に係る補正事項ア〜エの補正は、新規事項を追加するものではないから、特許法第１７条の２第３項に規定する要件を満たす。また、本件補正後の請求項１に係る補正事項ア〜エの補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
（５）独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下に検討する。
ア　本件補正後の請求項１に係る発明
　補正後の請求項１に係る発明（以下、「本願補正発明」という。）は、上記「１　本件補正の概要」に本件補正後の請求項１として記載したとおりのものである（Ａ〜Ｈは、本願補正発明を分説するために当審で付与した。）。
「【請求項１】
Ａ　遊技者に有利な特別遊技を実行するか否かを判定し、前記判定の結果に応じた種類の遊技演出を実行可能な遊技機において、
Ｂ　前記遊技演出の実行中において、前記特別遊技が実行されることを期待させる特定演出を実行することが可能な特定演出実行手段と、
Ｃ　前記特定演出の実行時期に特定表示となるように、画像表示手段に表示させたタイマーを更新するタイマー演出を実行することが可能なタイマー演出実行手段と、を備え、
Ｄ　前記特定演出には、
　少なくとも第１特定演出と、該第１特定演出とは異なる第２特定演出とがあり、
Ｅ　前記タイマー演出には、
　前記第１特定演出の実行時期に前記特定表示となる第１タイマー演出と、前記第２特定演出の実行時期に前記特定表示となる第２タイマー演出とがあり、
Ｃ　前記タイマー演出実行手段は、
Ｃ１　前記タイマーが前記特定表示となった後で実行される前記特定演出の種類に基づいて、複数のタイマー値のうちの何れかのタイマー値で前記タイマー演出を実行可能であり、
Ｆ　前記第１特定演出及び前記第２特定演出が実行される前記遊技演出の実行中において、前記第１タイマー演出と前記第２タイマー演出とを開始時期をずらして実行可能であり、
Ｇ　前記第１タイマー演出及び前記第２タイマー演出が実行される同一の前記遊技演出において、前記第１タイマー演出の実行期間と前記第２タイマー演出の実行期間とが重複する場合と、前記第１タイマー演出の実行期間と前記第２タイマー演出の実行期間とが重複しない場合とがある
Ｈ　ことを特徴とする遊技機。」
イ　引用文献に記載された事項
イ−１　引用文献１
　原査定の拒絶の理由に引用された本願の出願遡及日前に頒布された又は電気通信回線を通じて公衆に利用可能となった引用文献である、特開２０１６−１０５０８号公報（以下、「引用文献１」という。）には、図面とともに次の事項が記載されている（下線は当審で付した。以下同様。）。
（ア）「【０００４】
　しかしながら、従来の遊技機では、演出効果が低下する恐れがある。
　すなわち、従来の遊技機では、タイマ演出において、対象画像の表示が開始されるまでの時間が、単調にカウントダウンされる。このため、タイマ演出が単調となり、対象画像の表示が開始されるまでの時間が長いほど、タイマ演出に対する遊技者の注目が低下し、演出効果が低下する恐れがある。
　
本発明の課題は、演出効果を向上することにある。
【課題を解決するための手段】
【０００５】
　上記目的を達成するために、第一の発明に係る遊技機は、それぞれ演出表示を行うことが可能な第１表示装置及び第２表示装置と、特定遊技状態を生起させるか否かを決定する当たり抽選を実行する当たり抽選手段と、前記当たり抽選の結果に応じて、識別情報の変動表示を実行した後に、当該当たり抽選の結果に応じた態様による識別情報の停止表示を実行する抽選結果表示手段と、所定条件が成立した場合に、前記識別情報の
変動表示の実行中に、所定演出を実行する所定演出制御手段
【０００６】
　第一の発明に係る遊技機では、所定演出が実行される場合に、所定演出が開始されるまでの残り時間を示唆する示唆情報の表示を含む示唆演出が実行される。特に、所定種別の示唆演出の実行中に、第１の所定演出が開始されるまでの残り時間を示唆する第１の示唆情報と、第２の所定演出が開始されるまでの残り時間を示唆する第２の示唆情報と、を含む複数の示唆情報の表示が実行される。この際、第１の示唆情報が、第１表示装置において表示され、第２の示唆情報が、第２表示装置において表示される。
　これによって、第一の発明に係る遊技機では、所定種別の示唆演出において、第１の所定演出が開始されるまでの残り時間が、第１表示装置において示唆され、第２の所定演出が開始されるまでの残り時間が、第２表示装置において示唆される。
　したがって、第一の発明に係る遊技機によれば、示唆演出が単調となることが抑制され、演出効果を向上することが可能となる。
　ここで、第１表示装置としては、後述するメイン画像表示装置３１が該当する。第２表示装置としては、後述するボタン表示装置５ｃが該当する。特定遊技状態としては、後述する大当たり遊技状態が該当する。当たり抽選手段としては、後述する主制御装置２００（ステップＳ１０２、Ｓ１０６、Ｓ１１３）が該当する。識別情報としては、後述する特別図柄が該当する。抽選結果表示手段としては、後述する主制御装置２００（ステップＳ３５）が該当する。所定条件が成立とは、後述する変動演出決定処理（ステップＳ２５２）において、予告対象演出の実行に係る変動パターンの具体的内容が決定された場合が該当する。
所定演出としては、
「擬似連続変動表示」、「リーチ演出」、「チャンスアップ演出」及び「当落演出」が該当する。所定演出制御手段としては、
演出制御装置３００
が該当する。
（イ）「【００２４】
　状態表示装置６３の下方には、普図表示装置６０、特図１表示装置６１及び特図２表示装置６２が設けられている。各表示装置６０、６１、６２は、７セグメントＬＥＤ、ドットマトリクスＬＥＤ等によって構成されている。
　普図表示装置６０は、数字や図柄等からなる普通図柄の変動表示及び停止表示を行うことが可能となっている。そして、普図表示装置６０では、停止表示された普通図柄によって、普通図柄抽選の結果が表示される。ここで、普図表示装置６０に停止表示された普通図柄が特定の図柄となった場合には、遊技者に有利な遊技状態である普図当たり遊技状態が生起される。
　特図１表示装置６１は、数字や図柄等からなる第１特別図柄の変動表示及び停止表示を行うことが可能となっている。そして、特図１表示装置６１では、停止表示された第１特別図柄によって、第１特別図柄抽選の結果が表示される。特図２表示装置６２は、数字や図柄等からなる第２特別図柄の変動表示及び停止表示を行うことが可能となっている。そして、特図２表示装置６２では、停止表示された第２特別図柄によって、第２特別図柄抽選の結果が表示される。
　ここで、特図表示装置６１、６２における特別図柄（第１特別図柄又は第２特別図柄）の表示と、演出図柄表示領域ａ１〜ａ４における演出図柄ｚ１、ｚ２の表示とは、変動表示が開始される時期、変動表示が終了して停止表示が行われる時期及び停止表示された図柄が示す抽選結果のそれぞれについて対応付けられている。
　そして、特図１表示装置６１に停止表示された第１特別図柄が特定の図柄となった場合又は特図２表示装置６２において停止表示された第２特別図柄が特定の図柄となった場合には、
遊技者に有利な遊技状態である大当たり遊技状態
（ウ）「【００２９】
　
演出制御装置３００は、
画像表示装置３１
における演出画像の表示、
ボタン表示装置５ｃにおける演出画像の表示のそれぞれを制御する
　演出制御装置３００のＲＯＭには、演出の進行に係るプログラム、演出の進行に必要なデータが格納されている。演出制御装置３００のＲＡＭには、主制御装置２００から受信した制御コマンド、演算処理を行うためのデータ等が一時的に記憶される。
　演出制御装置３００のＣＰＵは、主制御装置２００から受信した制御コマンドに基づいて、実行する演出内容を決定する。そして、決定した演出内容に係る演出プログラムにしたがって、画像データ、ランプ制御データ及び音制御データを読み出して、読み出した制御データを、各画像表示装置３１、３２、３３、３４、ボタン表示装置５ｃ、ランプ２１、及び、音発生装置２２のそれぞれに対して出力する。また、決定した演出内容に係る演出プログラムにしたがって、モータ制御データを読み出して、読み出した制御データにしたがって、各モータ２６ａ、２６ｂ、２６ｃを駆動する。
　また、演出制御装置３００のＣＰＵは、演出ボタン５ｂを用いた演出内容が決定された場合には、操作検出スイッチ２４からの操作信号の入力の有無を監視し、操作信号の入力の有無に応じた制御データを読み出して、読み出した制御データを各画像表示装置３１、３２、３３、３４、ボタン表示装置５ｃ、ランプ２１及び音発生装置２２のそれぞれに対して出力する。」
（エ）「【００３５】
　また、
パチンコ機１では、
第１特別図柄抽選が実行され、
第２特別図柄抽選が実行され
第１特別図柄抽選又は第２特別図柄抽選に当選した場合に、大当たり遊技状態が生起され
　図８（ｂ）に示すように、本実施形態では、特別図柄抽選（第１特別図柄抽選又は第２特別図柄抽選）の抽選に当選した場合に生起される大当たり遊技状態の種別（種類）として、「大当たり１」〜「大当たり３」の３種類が設定されている。」
（オ）「【００４３】
　第１変動パターン指定コマンドは、
演出図柄ｚ１、ｚ２の変動表示のうち
演出図柄ｚ１、ｚ２の変動表示の開始後から
「リーチ表示」の開始前までの期間
の変動パターン（以下、「第１変動パターン」とする）
　本実施形態では、第１変動パターンの種別として、「通常変動パターン」及び「擬似連続変動パターン」が設定されている。
　「通常変動パターン」とは、演出図柄ｚ１、ｚ２の変動表示中に、大当たり遊技状態が生起されることを期待させる表示（擬似連続変動表示等）が行われない第１変動パターンの種別をいう。
　「擬似連続変動パターン」とは、演出図柄ｚ１、ｚ２の変動表示中に、１回以上の擬似連続変動表示が行われる第１変動パターンの種別をいう。
　擬似連続変動表示とは、演出図柄表示領域ａ４における演出図柄ｚ２の変動表示が継続されつつ、演出図柄表示領域ａ１〜ａ３のうち少なくとも１の領域の抽選結果表示位置において演出図柄ｚ１の仮停止表示が行われた後に、再び、全ての演出図柄表示領域ａ１〜ａ３において演出図柄ｚ１の通常変動表示が行われる表示をいう。
　仮停止表示とは、抽選結果表示位置において、一の種類の演出図柄ｚ１が揺動（又は回転）される表示（抽選結果表示位置に表示されている演出図柄ｚ１が変更されない表示）をいう。また、通常変動表示とは、抽選結果表示位置に表示される演出図柄ｚ１が、順次変更される（入れ替わる）表示をいう。なお、抽選結果表示位置とは、演出図柄ｚ１が停止表示される位置をいう。
　また、本実施形態では、「擬似連続変動パターン」の種別として、１回の擬似連続変動表示が行われる「１回擬似連続変動」、２回の擬似連続変動表示が行われる「２回擬似連続変動」及び３回の擬似連続変動表示が行われる「３回擬似連続変動」が設定されている。
　そして、各種別の期待値は、期待値が高いものから「３回擬似連続変動」、「２回擬似連続変動」、「１回擬似連続変動」、「通常変動パターン」の順に期待値が低くなるように設定されている。ここで、期待値とは、当該「変動パターン」が決定された場合に、大当たり遊技状態が生起される可能性の度合いをいう。
【００４４】
　第２変動パターン指定コマンドは、
演出図柄ｚ１、ｚ２の変動表示のうち
「リーチ表示」の開始後から演出図柄ｚ１、ｚ２の停止表示の開始前までの期間
の変動パターン（以下、「第２変動パターン」とする）
　本実施形態では、第２変動パターンの種別として、「通常変動パターン」及び「リーチ変動パターン」が設定されている。
　
「通常変動パターン」とは、演出図柄ｚ１、ｚ２の変動表示中に、大当たり遊技状態が生起されることを期待させる表示（リーチ表示等）が行われない第２変動パターンの種別をいう
　「リーチ変動パターン」とは、演出図柄ｚ１、ｚ２の変動表示中に、リーチ表示が行われる第２変動パターンの種別をいう。
　リーチ表示とは、演出図柄ｚ１、ｚ２がリーチ状態を形成する表示をいう。リーチ状態とは、演出図柄表示領域ａ４における演出図柄ｚ２の変動表示が継続されつつ、演出図柄表示領域ａ１〜ａ３のうち２以上の領域において演出図柄ｚ１の仮停止表示が行われ、かつ、２以上の領域において仮停止表示されている演出図柄ｚ１が、「大当たり図柄」に含まれる組み合わせとなる状態（例えば、２以上の演出図柄表示領域ａ１〜ａ３において互いに同一の数字を示す「数字図柄」が仮停止表示されている状態）をいう。」
（カ）「【００７５】
　ステップＳ１１５では、変動時間設定処理を実行し、ステップＳ１１６に移行する。変動時間設定処理では、特別図柄（第１特別図柄又は第２特別図柄）の変動時間を設定する。
　変動時間設定処理では、まず、判定始動情報に含まれる変動パターン乱数に基づいて、変動パターン乱数の区分を判定する。変動パターン乱数の区分の判定は、ステップＳ１０３、Ｓ１０７の処理における判定と同様に行う。
　具体的には、判定始動情報に含まれる変動パターン乱数と、大当たり判定の結果に対応する乱数区分決定テーブル（当選時乱数区分決定テーブル又は落選時乱数区分決定テーブル）とに基づいて、変動パターン乱数の区分（「固定値」又は「不定値」）を判定する。
　次に、判定始動情報に含まれる変動パターン乱数に基づいて、第１変動パターンの内容（変動時間）及び第２変動パターンの内容（変動時間）のそれぞれを判定する。
　具体的には、
大当たり判定の結果が当選である場合には、
第１変動パターンの内容として、「通常変動パターン」又は「擬似連続変動パターン」が決定され
　また、大当たり判定の結果が当選である場合には、判定始動情報に含まれる変動パターン乱数と、当選時第２変動パターン決定テーブル（図１４（ｃ）参照）とに基づいて、第２変動パターンの内容を判定する。本実施形態では、大当たり判定の結果が当選である場合には、
第２変動パターンの内容として、「ノーマルリーチ」、「スーパーリーチＡ」又は「スーパーリーチＢ」が決定され
【００７６】
　一方、
大当たり判定の結果が落選である場合には、
　本実施形態では、変動パターン乱数の区分が「固定値」である場合には、
第１変動パターンの内容として、「通常変動パターン」又は「擬似連続変動パターン」が決定され
　また、大当たり判定の結果が落選である場合には、判定始動情報に含まれる変動パターン乱数と、判定した変動パターン乱数の区分に対応する落選時第２変動パターン決定テーブル（落選時不定値用第２変動パターン決定テーブル又は落選時固定値用第２変動パターン決定テーブル）（図１５（ｃ）参照）とに基づいて、第２変動パターンの内容を判定する。この際、変動パターンの区分が「不定値」と判定された場合には、現在の時短制御の実行状況、保留数（特図１保留数又は特図２保留数）等の組み合わせに対応する落選時不定値用第２変動パターン決定テーブルに基づいて、第１変動パターンの内容を判定する。
　本実施形態では、変動パターン乱数の区分が「固定値」である場合には、
第２変動パターンの内容として、「リーチ変動パターン」（「ノーマルリーチ」、「スーパーリーチＡ」又は「スーパーリーチＢ」）
、「通常変動パターン」が決定される
　また、変動時間設定処理では、判定した第１変動パターンの内容を指定する第１変動パターン指定コマンド（変動パターンｍ指定）及び判定した第２変動パターンの内容を指定する第２変動パターン指定コマンド（変動パターンｎ指定）を、ポート出力要求バッファに格納する。
　さらに、特図保留数（特図１保留数又は特図２保留数）を１減算し、特図保留数が１減少したことを指定する第２保留数指定コマンドを、ポート出力要求バッファに格納する。
　これにより、ステップＳ１３の制御コマンド送信処理において、第１変動パターン指定コマンド、第２変動パターン指定コマンド及び第２保留数指定コマンドが演出制御装置３００に対して送信される。」
（キ）「【０１２５】
　「通常タイマ予告演出」は、当該報知表示の開始に応じて開始され、予告対象演出（複数の予告対象演出が設定されている場合には、最後の予告対象演出）が開始される直前に終了される。
　そして、「２回タイマ予告」及び「３回タイマ予告」のそれぞれでは、当該タイマ予告演出中において、複数の個別演出が、並行して又は時を異にして実行される。
　本実施形態では、メイン画像表示装置３１において複数の個別演出が実行される場合には、当該複数の個別演出は、時を異にして実行される（複数の個別演出に係るタイマ画像ｔが同時に表示されることがない）。
　具体的には、メイン画像表示装置３１において２つの個別演出が実行される場合には、先に開始される予告対象演出に対応する個別演出に係るタイマ画像ｔが表示されている期間中には、後に開始される予告対象演出に対応する個別演出に係るタイマ画像ｔは表示されない。そして、先に開始される予告対象演出に対応する個別演出に係るタイマ画像ｔが表示されている期間中には、先に開始される予告対象演出に対応する個別演出に係るタイマ画像ｔにおいて、残り２回の個別演出が実行されることを示唆する「×２」なる文字が表示される（図４２（ａ）及び（ｂ）参照）。
　そして、先に開始される予告対象演出に対応する個別演出の終了に応じて、「×２」の表示が消去され、後に開始される予告対象演出に対応する個別演出に係るタイマ画像ｔの表示が開始される。
　また、メイン画像表示装置３１において３つの個別演出が実行される場合には、１番目に開始される予告対象演出に対応する個別演出に係るタイマ画像ｔが表示されている期間中には、２番目及び３番目に開始される予告対象演出に対応する個別演出に係るタイマ画像ｔは表示されない。そして、１番目に開始される予告対象演出に対応する個別演出に係るタイマ画像ｔが表示されている期間中には、１番目に開始される予告対象演出に対応する個別演出に係るタイマ画像ｔにおいて、残り３回の個別演出が実行されることを示唆する「×３」なる文字が表示される。
　そして、１番目に開始される予告対象演出に対応する個別演出の終了に応じて、「×３」の表示が消去され、２番目に開始される予告対象演出に対応する個別演出に係るタイマ画像ｔの表示が開始される。ここで、２番目に開始される予告対象演出に対応する個別演出に係るタイマ画像ｔが表示されている期間中には、３番目に開始される予告対象演出に対応する個別演出に係るタイマ画像ｔは表示されない。そして、２番目に開始される予告対象演出に対応する個別演出に係るタイマ画像ｔが表示されている期間中には、２番目に開始される予告対象演出に対応する個別演出に係るタイマ画像ｔにおいて、残り２回の個別演出が実行されることを示唆する「×２」なる文字が表示される（図４２（ａ）及び（ｂ）参照）。
　さらに、２番目に開始される予告対象演出に対応する個別演出の終了に応じて、「×２」の表示が消去され、３番目に開始される予告対象演出に対応する個別演出に係るタイマ画像ｔの表示が開始される。
　一方、本実施形態では、メイン画像表示装置３１において実行される個別演出と、ボタン表示装置５ｃにおいて実行される個別演出とは、並行して実行される。」
（ク）「【０１５８】
　次に、「タイマ予告演出パターン１６」に基づくタイマ予告演出中における各個別演出に係る表示の流れを説明する。
　
図４２（ａ）に示すように、「タイマ予告演出パターン１６」に基づくタイマ予告演出の開始時には、メイン画像表示装置３１の表示画面３１ａにおいて、第１の個別演出に係るタイマ画像ｔが表示されるとともに、ボタン表示装置５ｃにおいて、第２の個別演出に係るタイマ画像Ｔが表示される。この際、第１の個別演出に係る残り時間の初期値ｆとして、所定時間（本実施形態では、０９．００［ｓ］）が表示されるとともに、第２の個別演出に係る残り時間の初期値として、所定時間（図４２（ａ）に示す例では、６０．００［ｓ］）が表示される
　また、第１の個別演出に係るタイマ画像ｔにおいて、メイン画像表示装置３１の表示画面３１にて残り２回の個別演出が実行されること（その後に第３の個別演出に係るタイマ画像ｔが表示されること）を示唆する「×２」なる文字が表示される。ここで、「×２」の表示は、第１の個別演出が終了するまで表示される。
　そして、
当該タイマ予告演出の開始に応じて、第１の個別演出に係る残り時間のカウントダウンが開始されるとともに、第２の個別演出に係る残り時間のカウントダウンが開始される
　さらに、
図４２（ｂ）に示すように、第１の個別演出に係る残り時間がタイムアウトすると（この際、第２の個別演出に係る残り時間は、５１．００［ｓ］となっている）、
メイン画像表示装置３１の表示画面３１ａにおける第１の個別演出に係るタイマ画像ｔの表示が終了され、
第１の個別演出に対応する予告対象演出（
「擬似連続変動表示」）が開始される
　また第１の個別演出の終了に応じて、
メイン画像表示装置３１の表示画面３１ａにおいて、第３の個別演出に係るタイマ画像ｔが表示されて、第３の個別演出に係る残り時間のカウントダウンが開始される。第３の個別演出の開始時には、第３の個別演出に係る残り時間の初期値ｆとして、所定時間が表示される
　その後、
図４２（ｃ）に示すように、第２の個別演出に係る残り時間及び第３の個別演出に係る残り時間のカウントダウンが進行し、図４２（ｄ）に示すように、第２の個別演出に係る残り時間がタイムアウトすると、
ボタン表示装置５ｃにおける第２の個別演出に係る表示が終了され、
第２の個別演出に対応する予告対象演出（「リーチ演出」）が開始される
　さらに、
図４２（ｅ）に示すように、第３の個別演出に係る残り時間のカウントダウンが進行し、図４２（ｆ）に示すように、第３の個別演出に係る残り時間がタイムアウトすると、
第３の個別演出に対応する予告対象演出（チャンスアップ演出」）が開始される
（ケ）「【０１７３】
（変形例）
　以上、本発明の実施形態について説明したが、上記実施形態では、種々の変更を行うことが可能である。
　例えば、上記実施形態に係るタイマ予告演出では、各個別演出の開始時に、タイマ画像ｔの領域ｒにおいて、具体的な所定の残り時間（初期値ｆ）が表示される構成となっている。
　しかしながら、内部的に設定された初期値ｆが所定表示限度時間を超える場合には、各回の個別演出の開始時に、領域ｒにおいて、「準備中」なる文字を表示（図２１参照）する構成としても構わない。
　かかる構成とした場合には、個別演出の開始時には、領域ｒにおいて「準備中」なる文字が表示され、内部的に初期値ｆからカウントダウンされている残り時間が所定表示限度時間となった時点で、領域ｒにおいて当該所定限度時間を表示して、表示上のカウントダウンを開始する。
【０１７４】
　また、上記実施形態では、メイン画像表示装置３１において複数の個別演出が実行される場合には、当該複数の個別演出は、時を異にして実行される。
　しかしながら、メイン画像表示装置３１において複数の個別演出が実行される場合に、当該
複数の個別演出を並行して実行する構成としても構わない
　かかる構成とした場合には、
メイン画像表示装置３１の表示画面３１ａにおいて、複数の個別演出のそれぞれに対応するタイマ画像ｔが表示される（複数のタイマ画像ｔが表示される）
（コ）図４２
　上記【０１５８】の「図４２（ａ）に示すように、「タイマ予告演出パターン１６」に基づくタイマ予告演出の開始時には、メイン画像表示装置３１の表示画面３１ａにおいて、第１の個別演出に係るタイマ画像ｔが表示されるとともに、ボタン表示装置５ｃにおいて、第２の個別演出に係るタイマ画像Ｔが表示される。この際、第１の個別演出に係る残り時間の初期値ｆとして、所定時間（本実施形態では、０９．００［ｓ］）が表示されるとともに、第２の個別演出に係る残り時間の初期値として、所定時間（図４２（ａ）に示す例では、６０．００［ｓ］）が表示される・・・当該タイマ予告演出の開始に応じて、第１の個別演出に係る残り時間のカウントダウンが開始されるとともに、第２の個別演出に係る残り時間のカウントダウンが開始される・・・図４２（ｂ）に示すように、第１の個別演出に係る残り時間がタイムアウトすると（この際、第２の個別演出に係る残り時間は、５１．００［ｓ］となっている）、・・・メイン画像表示装置３１の表示画面３１ａにおける第１の個別演出に係るタイマ画像ｔの表示が終了され、・・・第１の個別演出に対応する予告対象演出（・・・「擬似連続変動表示」）が開始される・・・メイン画像表示装置３１の表示画面３１ａにおいて、第３の個別演出に係るタイマ画像ｔが表示されて、第３の個別演出に係る残り時間のカウントダウンが開始される。第３の個別演出の開始時には、第３の個別演出に係る残り時間の初期値ｆとして、所定時間が表示される・・・図４２（ｃ）に示すように、第２の個別演出に係る残り時間及び第３の個別演出に係る残り時間のカウントダウンが進行し、図４２（ｄ）に示すように、第２の個別演出に係る残り時間がタイムアウトすると、・・・ボタン表示装置５ｃにおける第２の個別演出に係る表示が終了され、・・・第２の個別演出に対応する予告対象演出（「リーチ演出」）が開始される・・・図４２（ｅ）に示すように、第３の個別演出に係る残り時間のカウントダウンが進行し、図４２（ｆ）に示すように、第３の個別演出に係る残り時間がタイムアウトすると、・・・第３の個別演出に対応する予告対象演出（チャンスアップ演出」）が開始される」との記載を参酌すると、
　図４２には、
「タイマ予告演出パターン１６」に基づくタイマ予告演出の開始時には、メイン画像表示装置３１の表示画面３１ａにおいて、第１の個別演出に係るタイマ画像ｔに、残り時間の初期値ｆとして０９．００［ｓ］が表示されるとともに、ボタン表示装置５ｃにおいて、第２の個別演出に係るタイマ画像Ｔに残り時間の初期値ｆとして６０［ｓ］が表示され（図４２（ａ））、当該タイマ予告演出の開始に応じて、第１の個別演出に係る残り時間のカウントダウンが開始されるとともに、第２の個別演出に係る残り時間のカウントダウンが開始され、
　
ボタン表示装置５ｃの第２の個別演出に係る残り時間が５１［ｓ］となる際に、第１の個別演出に係る残り時間がタイムアウトし、メイン画像表示装置３１の表示画面３１ａに００．００［ｓ］が表示され（図４２（ｂ））、メイン画像表示装置３１の表示画面３１ａにおける第１の個別演出に係るタイマ画像ｔの表示が終了し、第１の個別演出に対応する予告対象演出である「擬似連続変動表示」が開始され、
　
ボタン表示装置５ｃの第２の個別演出に係る残り時間が３７［ｓ］となる際に、メイン画像表示装置３１の表示画面３１ａにおいて、第３の個別演出に係るタイマ画像ｔに残り時間の初期値ｆとして６４．００［ｓ］が表示されて（図４２（ｃ））、第３の個別演出に係る残り時間のカウントダウンが開始され、
　
第２の個別演出に係る残り時間及び第３の個別演出に係る残り時間のカウントダウンが進行し、メイン画像表示装置３１の表示画面３１ａの第３の個別演出に係る残り時間が、２７．００［ｓ］となる際に、第２の個別演出に係る残り時間がタイムアウトし、ボタン表示装置５ｃに００［ｓ］が表示され（図４２（ｄ））、ボタン表示装置５ｃにおける第２の個別演出に係る表示が終了され、第２の個別演出に対応する予告対象演出である「リーチ演出」が開始され、
　
第３の個別演出に係る残り時間のカウントダウンが進行し、メイン画像表示装置３１の表示画面３１ａの第３の個別演出に係る残り時間が、１３．００［ｓ］となる際に、ボタン表示装置５ｃでは個別演出に係る残り時間の表示はなしであり（図４２（ｅ））、
　
ボタン表示装置５ｃで個別演出に係る残り時間の表示がない状態で、第３の個別演出に係る残り時間がタイムアウトし、メイン画像表示装置３１の表示画面３１ａに００．００［ｓ］が表示され（図４２（ｆ））、第３の個別演出に対応する予告対象演出である「チャンスアップ演出」が開始されること
　上記記載事項（ア）〜（ケ）、上記図示内容（コ）より、以下の事項が導かれる。
　なお、（ａ）〜（ｈ）は、本願補正発明の特定事項Ａ〜Ｈに対応した事項を示している。
（ａ）上記【００３５】には「パチンコ機１では、・・・第１特別図柄抽選が実行され、・・・第２特別図柄抽選が実行され・・・第１特別図柄抽選又は第２特別図柄抽選に当選した場合に、大当たり遊技状態が生起され」と記載され、
　上記【００２４】には「遊技者に有利な遊技状態である大当たり遊技状態」と記載され、
　上記【００７５】には「大当たり判定の結果が当選である場合には、・・・第１変動パターンの内容として、「通常変動パターン」又は「擬似連続変動パターン」が決定され・・・第２変動パターンの内容として、「ノーマルリーチ」、「スーパーリーチＡ」又は「スーパーリーチＢ」が決定され」と記載され、
　上記【００４３】には「演出図柄ｚ１、ｚ２の変動表示のうち・・・演出図柄ｚ１、ｚ２の変動表示の開始後から・・・「リーチ表示」の開始前までの期間・・・の変動パターン（以下、「第１変動パターン」とする）」と記載され、
　上記【００４４】には「演出図柄ｚ１、ｚ２の変動表示のうち・・・「リーチ表示」の開始後から演出図柄ｚ１、ｚ２の停止表示の開始前までの期間・・・の変動パターン（以下、「第２変動パターン」とする）」と記載され、
　上記【００７６】には「大当たり判定の結果が落選である場合には、・・・第１変動パターンの内容として、「通常変動パターン」又は「擬似連続変動パターン」が決定され・・・第２変動パターンの内容として、「リーチ変動パターン」（「ノーマルリーチ」、「スーパーリーチＡ」又は「スーパーリーチＢ」）・・・、「通常変動パターン」が決定される」と記載されているから、
　引用文献１には、
第１特別図柄抽選又は第２特別図柄抽選が実行され、第１特別図柄抽選又は第２特別図柄抽選に当選した場合に、遊技者に有利な遊技状態である大当たり遊技状態が生起され、
　
大当たり判定の結果が当選である場合には、演出図柄ｚ１、ｚ２の変動表示の開始後から「リーチ表示」の開始前までの期間の変動パターンである第１変動パターンの内容として、「通常変動パターン」又は「擬似連続変動パターン」が決定され、「リーチ表示」の開始後から演出図柄ｚ１、ｚ２の停止表示の開始前までの期間の変動パターンである第２変動パターンの内容として、「ノーマルリーチ」、「スーパーリーチＡ」又は「スーパーリーチＢ」が決定され、
　
大当たり判定の結果が落選である場合には、演出図柄ｚ１、ｚ２の変動表示の開始後から「リーチ表示」の開始前までの期間の変動パターンである第１変動パターンの内容として、「通常変動パターン」又は「擬似連続変動パターン」が決定され、「リーチ表示」の開始後から演出図柄ｚ１、ｚ２の停止表示の開始前までの期間の変動パターンである第２変動パターンの内容として、「リーチ変動パターン」（「ノーマルリーチ」、「スーパーリーチＡ」又は「スーパーリーチＢ」）、又は「通常変動パターン」が決定されるパチンコ機１
（ｂ、ｄ）上記【０００５】には「変動表示の実行中に、所定演出を実行する所定演出制御手段」と記載され、
　上記【０００６】には「所定演出としては、・・・「擬似連続変動表示」、「リーチ演出」、「チャンスアップ演出」及び「当落演出」が該当する。所定演出制御手段としては、・・・演出制御装置３００・・・が該当する。」と記載され、
　上記【００４４】には「「通常変動パターン」とは、演出図柄ｚ１、ｚ２の変動表示中に、大当たり遊技状態が生起されることを期待させる表示（リーチ表示等）が行われない第２変動パターンの種別をいう」と記載されるとともに、
　上記【００４４】の「通常変動パターン」では行われない「大当たり遊技状態が生起されることを期待させる表示（リーチ表示等）」に、上記【０００６】の「「擬似連続変動表示」、「リーチ演出」、「チャンスアップ演出」及び「当落演出」」が含まれることは明らかであるから、
　引用文献１には、
変動表示の実行中に、大当たり遊技状態が生起されることを期待させる「擬似連続変動表示」、「リーチ演出」、「チャンスアップ演出」及び「当落演出」を実行する演出制御装置３００
（ｃ、ｅ、ｃ１、ｆ、ｇ）上記図４２には、「タイマ予告演出パターン１６」に基づくタイマ予告演出の開始時には、メイン画像表示装置３１の表示画面３１ａにおいて、第１の個別演出に係るタイマ画像ｔに、残り時間の初期値ｆとして０９．００［ｓ］が表示されるとともに、ボタン表示装置５ｃにおいて、第２の個別演出に係るタイマ画像Ｔに残り時間の初期値ｆとして６０［ｓ］が表示され（図４２（ａ））、当該タイマ予告演出の開始に応じて、第１の個別演出に係る残り時間のカウントダウンが開始されるとともに、第２の個別演出に係る残り時間のカウントダウンが開始され、
　ボタン表示装置５ｃの第２の個別演出に係る残り時間が５１［ｓ］となる際に、第１の個別演出に係る残り時間がタイムアウトし、メイン画像表示装置３１の表示画面３１ａに００．００［ｓ］が表示され（図４２（ｂ））、メイン画像表示装置３１の表示画面３１ａにおける第１の個別演出に係るタイマ画像ｔの表示が終了し、第１の個別演出に対応する予告対象演出である「擬似連続変動表示」が開始され、
　ボタン表示装置５ｃの第２の個別演出に係る残り時間が３７［ｓ］となる際に、メイン画像表示装置３１の表示画面３１ａにおいて、第３の個別演出に係るタイマ画像ｔに残り時間の初期値ｆとして６４．００［ｓ］が表示されて（図４２（ｃ））、第３の個別演出に係る残り時間のカウントダウンが開始され、
　第２の個別演出に係る残り時間及び第３の個別演出に係る残り時間のカウントダウンが進行し、メイン画像表示装置３１の表示画面３１ａの第３の個別演出に係る残り時間が、２７．００［ｓ］となる際に、第２の個別演出に係る残り時間がタイムアウトし、ボタン表示装置５ｃに００［ｓ］が表示され（図４２（ｄ））、ボタン表示装置５ｃにおける第２の個別演出に係る表示が終了され、第２の個別演出に対応する予告対象演出である「リーチ演出」が開始され、
　第３の個別演出に係る残り時間のカウントダウンが進行し、メイン画像表示装置３１の表示画面３１ａの第３の個別演出に係る残り時間が、１３．００［ｓ］となる際に、ボタン表示装置５ｃでは個別演出に係る残り時間の表示はなしであり（図４２（ｅ））、
　ボタン表示装置５ｃで個別演出に係る残り時間の表示がない状態で、第３の個別演出に係る残り時間がタイムアウトし、メイン画像表示装置３１の表示画面３１ａに００．００［ｓ］が表示され（図４２（ｆ））、第３の個別演出に対応する予告対象演出である「チャンスアップ演出」が開始される」ことが図示され、
　上記【００２９】には「演出制御装置３００は、・・・画像表示装置３１・・・における演出画像の表示、・・・ボタン表示装置５ｃにおける演出画像の表示のそれぞれを制御する」と記載されているから、
　引用文献１には、
「タイマ予告演出パターン１６」に基づくタイマ予告演出の開始時には、メイン画像表示装置３１の表示画面３１ａにおいて、第１の個別演出に係るタイマ画像ｔに、残り時間の初期値ｆとして０９．００［ｓ］が表示されるとともに、ボタン表示装置５ｃにおいて、第２の個別演出に係るタイマ画像Ｔに残り時間の初期値ｆとして６０［ｓ］が表示され（図４２（ａ））、当該タイマ予告演出の開始に応じて、第１の個別演出に係る残り時間のカウントダウンが開始されるとともに、第２の個別演出に係る残り時間のカウントダウンが開始され、
　
ボタン表示装置５ｃの第２の個別演出に係る残り時間が５１［ｓ］となる際に、第１の個別演出に係る残り時間がタイムアウトし、メイン画像表示装置３１の表示画面３１ａに００．００［ｓ］が表示され（図４２（ｂ））、メイン画像表示装置３１の表示画面３１ａにおける第１の個別演出に係るタイマ画像ｔの表示が終了し、第１の個別演出に対応する予告対象演出である「擬似連続変動表示」が開始され、
　
ボタン表示装置５ｃの第２の個別演出に係る残り時間が３７［ｓ］となる際に、メイン画像表示装置３１の表示画面３１ａにおいて、第３の個別演出に係るタイマ画像ｔに残り時間の初期値ｆとして６４．００［ｓ］が表示されて（図４２（ｃ））、第３の個別演出に係る残り時間のカウントダウンが開始され、
　
第２の個別演出に係る残り時間及び第３の個別演出に係る残り時間のカウントダウンが進行し、メイン画像表示装置３１の表示画面３１ａの第３の個別演出に係る残り時間が、２７．００［ｓ］となる際に、第２の個別演出に係る残り時間がタイムアウトし、ボタン表示装置５ｃに００［ｓ］が表示され（図４２（ｄ））、ボタン表示装置５ｃにおける第２の個別演出に係る表示が終了され、第２の個別演出に対応する予告対象演出である「リーチ演出」が開始され、
　
第３の個別演出に係る残り時間のカウントダウンが進行し、メイン画像表示装置３１の表示画面３１ａの第３の個別演出に係る残り時間が、１３．００［ｓ］となる際に、ボタン表示装置５ｃでは個別演出に係る残り時間の表示はなしであり（図４２（ｅ））、
　
ボタン表示装置５ｃで個別演出に係る残り時間の表示がない状態で、第３の個別演出に係る残り時間がタイムアウトし、メイン画像表示装置３１の表示画面３１ａに００．００［ｓ］が表示され（図４２（ｆ））、第３の個別演出に対応する予告対象演出である「チャンスアップ演出」が開始されるように制御する演出制御装置３００
（ｈ）上記【００３５】には「パチンコ機１」と記載されている。
　上記記載事項（ア）〜（ケ）、上記図示内容（コ）、及び上記（ａ）〜（ｈ）の認定事項を総合すれば、引用文献１には以下の発明（以下、「引用発明」という。）が記載されていると認められる（ａ〜ｈは発明の構成を分説するため当審で付与した。）。
「ａ　第１特別図柄抽選又は第２特別図柄抽選が実行され、第１特別図柄抽選又は第２特別図柄抽選に当選した場合に、遊技者に有利な遊技状態である大当たり遊技状態が生起され、
　大当たり判定の結果が当選である場合には、演出図柄ｚ１、ｚ２の変動表示の開始後から「リーチ表示」の開始前までの期間の変動パターンである第１変動パターンの内容として、「通常変動パターン」又は「擬似連続変動パターン」が決定され、「リーチ表示」の開始後から演出図柄ｚ１、ｚ２の停止表示の開始前までの期間の変動パターンである第２変動パターンの内容として、「ノーマルリーチ」、「スーパーリーチＡ」又は「スーパーリーチＢ」が決定され、
　大当たり判定の結果が落選である場合には、演出図柄ｚ１、ｚ２の変動表示の開始後から「リーチ表示」の開始前までの期間の変動パターンである第１変動パターンの内容として、「通常変動パターン」又は「擬似連続変動パターン」が決定され、「リーチ表示」の開始後から演出図柄ｚ１、ｚ２の停止表示の開始前までの期間の変動パターンである第２変動パターンの内容として、「リーチ変動パターン」（「ノーマルリーチ」、「スーパーリーチＡ」又は「スーパーリーチＢ」）、又は「通常変動パターン」が決定されるパチンコ機１において、
ｂ、ｄ　変動表示の実行中に、大当たり遊技状態が生起されることを期待させる「擬似連続変動表示」、「リーチ演出」、「チャンスアップ演出」及び「当落演出」を実行する演出制御装置３００と、
ｃ、ｅ、ｃ１、ｆ、ｇ　「タイマ予告演出パターン１６」に基づくタイマ予告演出の開始時には、メイン画像表示装置３１の表示画面３１ａにおいて、第１の個別演出に係るタイマ画像ｔに、残り時間の初期値ｆとして０９．００［ｓ］が表示されるとともに、ボタン表示装置５ｃにおいて、第２の個別演出に係るタイマ画像Ｔに残り時間の初期値ｆとして６０［ｓ］が表示され（図４２（ａ））、当該タイマ予告演出の開始に応じて、第１の個別演出に係る残り時間のカウントダウンが開始されるとともに、第２の個別演出に係る残り時間のカウントダウンが開始され、
　ボタン表示装置５ｃの第２の個別演出に係る残り時間が５１［ｓ］となる際に、第１の個別演出に係る残り時間がタイムアウトし、メイン画像表示装置３１の表示画面３１ａに００．００［ｓ］が表示され（図４２（ｂ））、メイン画像表示装置３１の表示画面３１ａにおける第１の個別演出に係るタイマ画像ｔの表示が終了し、第１の個別演出に対応する予告対象演出である「擬似連続変動表示」が開始され、
　ボタン表示装置５ｃの第２の個別演出に係る残り時間が３７［ｓ］となる際に、メイン画像表示装置３１の表示画面３１ａにおいて、第３の個別演出に係るタイマ画像ｔに残り時間の初期値ｆとして６４．００［ｓ］が表示されて（図４２（ｃ））、第３の個別演出に係る残り時間のカウントダウンが開始され、
　第２の個別演出に係る残り時間及び第３の個別演出に係る残り時間のカウントダウンが進行し、メイン画像表示装置３１の表示画面３１ａの第３の個別演出に係る残り時間が、２７．００［ｓ］となる際に、第２の個別演出に係る残り時間がタイムアウトし、ボタン表示装置５ｃに００［ｓ］が表示され（図４２（ｄ））、ボタン表示装置５ｃにおける第２の個別演出に係る表示が終了され、第２の個別演出に対応する予告対象演出である「リーチ演出」が開始され、
　第３の個別演出に係る残り時間のカウントダウンが進行し、メイン画像表示装置３１の表示画面３１ａの第３の個別演出に係る残り時間が、１３．００［ｓ］となる際に、ボタン表示装置５ｃでは個別演出に係る残り時間の表示はなしであり（図４２（ｅ））、
　ボタン表示装置５ｃで個別演出に係る残り時間の表示がない状態で、第３の個別演出に係る残り時間がタイムアウトし、メイン画像表示装置３１の表示画面３１ａに００．００［ｓ］が表示され（図４２（ｆ））、第３の個別演出に対応する予告対象演出である「チャンスアップ演出」が開始されるように制御する演出制御装置３００を備えた、
ｈ　パチンコ機１。」 
ウ　対比
　本願補正発明と引用発明とを対比する。
（ａ）引用発明の「遊技者に有利な遊技状態である大当たり遊技状態」は、本願補正発明の「遊技者に有利な特別遊技を実行」している状態に相当する。
　また、引用発明は、「第１特別図柄抽選又は第２特別図柄抽選が実行され」ることにより、「大当たり遊技状態が生起され」るか判定しているといえる。
　このことから、引用発明の「第１特別図柄抽選又は第２特別図柄抽選が実行され、第１特別図柄抽選又は第２特別図柄抽選に当選した場合に、遊技者に有利な遊技状態である大当たり遊技状態が生起され」ることは、本願補正発明の「遊技者に有利な特別遊技を実行するか否かを判定」することに相当する。
　また、引用発明の「演出図柄ｚ１、ｚ２の変動表示」、「パチンコ機１」は、それぞれ、本願補正発明の「遊技演出」、「遊技機」に相当する。
　そして、「第１変動パターン」は、「演出図柄ｚ１、ｚ２の変動表示の開始後から「リーチ表示」の開始前までの期間の変動パターンであ」り、「第２変動パターン」は、「「リーチ表示」の開始後から演出図柄ｚ１、ｚ２の停止表示の開始前までの期間の変動パターンであ」り、「第１変動パターンの内容」及び「第２変動パターンの内容」は、「大当たり判定の結果が当選である」か「落選である」かに応じて異なるから、「第１変動パターンの内容」及び「第２変動パターンの内容」が決定されたら、「大当たり判定の結果が当選である」か「落選である」かに応じて決定された「第１変動パターンの内容」及び「第２変動パターンの内容」に基づいて、変動表示が実行されることは明らかである。
　このことから、引用発明の「大当たり判定の結果が当選である場合には、演出図柄ｚ１、ｚ２の変動表示の開始後から「リーチ表示」の開始前までの期間の変動パターンである第１変動パターンの内容として、「通常変動パターン」又は「擬似連続変動パターン」が決定され、「リーチ表示」の開始後から演出図柄ｚ１、ｚ２の停止表示の開始前までの期間の変動パターンである第２変動パターンの内容として、「ノーマルリーチ」、「スーパーリーチＡ」又は「スーパーリーチＢ」が決定され、大当たり判定の結果が落選である場合には、演出図柄ｚ１、ｚ２の変動表示の開始後から「リーチ表示」の開始前までの期間の変動パターンである第１変動パターンの内容として、「通常変動パターン」又は「擬似連続変動パターン」が決定され、「リーチ表示」の開始後から演出図柄ｚ１、ｚ２の停止表示の開始前までの期間の変動パターンである第２変動パターンの内容として、「リーチ変動パターン」（「ノーマルリーチ」、「スーパーリーチＡ」又は「スーパーリーチＢ」）、又は「通常変動パターン」が決定される」ことは、本願発明の「前記判定の結果に応じた種類の遊技演出を実行可能」であることに相当する。
　したがって、引用発明の特定事項ａは、本願補正発明の特定事項Ａに相当する。
（ｂ、ｄ）引用発明の「「擬似連続変動表示」、「リーチ演出」、「チャンスアップ演出」及び「当落演出」」、「演出制御装置３００」は、それぞれ、本願補正発明の「特定演出」、「特定演出実行手段」に相当する。
　また、引用発明の「「リーチ演出」」、「「チャンスアップ演出」」は、それぞれ、本願補正発明の「第１特定演出」、「第１特定演出とは異なる第２特定演出」に相当する。
　したがって、引用発明の特定事項ｂ、ｄは、本願補正発明の特定事項Ｂに相当する特定事項を有しているとともに、引用発明の特定事項ｂ、ｄは、本願補正発明の特定事項Ｄに相当する特定事項を有している。
（ｃ）引用発明の「００．００［ｓ］」、及び「００［ｓ］」は、本願補正発明の「特定表示」に相当する。
　また、引用発明の「メイン画像表示装置３１」、「ボタン表示装置５ｃ」は、それぞれ、「タイマ画像ｔ」、「タイマ画像Ｔ」を表示するから、「画像表示手段」であるといえるから、引用発明は２つの画像表示手段を備えているといえ、引用発明と本願補正発明は、所定の画像表示手段を備えている点で共通する。
　そして、引用発明の「擬似連続変動表示」（特定演出）、「リーチ演出」（第１特定演出）、及び「チャンスアップ演出」（第２特定演出）が「予告対象演出である」ときに「残り時間のカウントダウン」を行う「第１の個別演出」、「第２の個別演出」、及び「第３の個別演出」は、本願補正発明の「特定演出の実行時期に特定表示となるように」「実行」される「タイマー演出」に相当する。
　さらに、引用発明は「メイン画像表示装置３１の表示画面３１ａにおいて、第１の個別演出に係るタイマ画像ｔに、残り時間の初期値ｆとして０９．００［ｓ］が表示されるとともに、ボタン表示装置５ｃにおいて、第２の個別演出に係るタイマ画像Ｔに残り時間の初期値ｆとして６０［ｓ］が表示され（図４２（ａ））、当該タイマ予告演出の開始に応じて、第１の個別演出に係る残り時間のカウントダウンが開始されるとともに、第２の個別演出に係る残り時間のカウントダウンが開始され、」「第１の個別演出に係る残り時間がタイムアウトし、メイン画像表示装置３１の表示画面３１ａに００．００［ｓ］が表示され（図４２（ｂ））、」「第２の個別演出に係る残り時間がタイムアウトし、ボタン表示装置５ｃに００［ｓ］が表示され（図４２（ｄ））」るから、引用発明は、本願補正発明の「画像表示手段に表示させたタイマーを更新するタイマー演出を実行することが可能」である特定事項を有している。
　加えて、引用発明の「演出制御装置３００」は、本願補正発明の「タイマー演出実行手段」に相当する。
　したがって、引用発明の特定事項ｃ、ｅ、ｃ１、ｆ、ｇは、本願補正発明の特定事項Ｃと、「前記特定演出の実行時期に特定表示となるように、所定の画像表示手段に表示させたタイマーを更新するタイマー演出を実行することが可能なタイマー演出実行手段と、を備え」る点で共通する。
（ｅ）引用発明の「リーチ演出」（第１特定演出）が「予告対象演出である」ときに「残り時間のカウントダウン」を行う「第２の個別演出」、「チャンスアップ演出」（第２特定演出）が「予告対象演出である」ときに「残り時間のカウントダウン」を行う「第３の個別演出」は、それぞれ、本願補正発明の「第１タイマー演出」、「第２タイマー演出」に相当する。
　引用発明は「第２の個別演出に係る残り時間がタイムアウトし、ボタン表示装置５ｃに００［ｓ］が表示され（図４２（ｄ））、ボタン表示装置５ｃにおける第２の個別演出に係る表示が終了され、第２の個別演出に対応する予告対象演出である「リーチ演出」が開始され」、「第３の個別演出に係る残り時間がタイムアウトし、メイン画像表示装置３１の表示画面３１ａに００．００［ｓ］が表示され（図４２（ｆ））、第３の個別演出に対応する予告対象演出である「チャンスアップ演出」が開始される」から、引用発明は、本願補正発明の「前記第１特定演出の実行時期に前記特定表示となる第１タイマー演出と、前記第２特定演出の実行時期に前記特定表示となる第２タイマー演出とがあ」る特定事項を有している。
　したがって、引用発明の特定事項ｃ、ｅ、ｃ１、ｆ、ｇは、本願補正発明の特定事項Ｅに相当する特定事項を有している。
（ｃ１）引用発明は「擬似連続変動表示」（特定演出）が「予告対象演出である」「第１の個別演出」（タイマー演出）では、「第１の個別演出に係るタイマ画像ｔに、残り時間の初期値ｆとして０９．００［ｓ］が表示され」、「リーチ演出」（第１特定演出）が「予告対象演出である」「第２の個別演出」（第１タイマー演出）では、「第２の個別演出に係るタイマ画像Ｔに残り時間の初期値ｆとして６０［ｓ］が表示され」、「チャンスアップ演出」（第２特定演出）が「予告対象演出である」「第３の個別演出」（第２タイマー演出）では、「第３の個別演出に係るタイマ画像ｔに残り時間の初期値ｆとして６４．００［ｓ］が表示され」、タイマ画像の残り時間の初期値ｆは、特定演出（「擬似連続変動表示」、「リーチ演出」及び「チャンスアップ演出」）の種類に基づいて複数のタイマー値のうちの異なるタイマ値になるから、
　引用発明は、本願補正発明の「前記特定演出の種類に基づいて、複数のタイマー値のうちの何れかのタイマー値で前記タイマー演出を実行可能であ」る特定事項を有している。
　したがって、引用発明の特定事項ｃ、ｅ、ｃ１、ｆ、ｇは、本願補正発明の特定事項ｃ１に相当する特定事項を有している。
（ｆ）引用発明は、特定事項ｂ、ｄとして「変動表示の実行中に、大当たり遊技状態が生起されることを期待させる」「リーチ演出」（第１特定演出）、「チャンスアップ演出」（第２特定演出）「を実行する」特定事項を有しており、「変動表示」（遊技演出）の実行中に行われる「リーチ演出」（第１特定演出）、及び「チャンスアップ演出」（第２特定演出）、の前に行われる「第２の個別演出」（第１タイマー演出）、及び「第３の個別演出」（第２タイマー演出）も、「変動パターン」に基づいて実行されるものであるから、１つの「変動表示」（遊技演出）の実行中に行われることは明らかである。
　また、引用発明は「「タイマ予告演出パターン１６」に基づくタイマ予告演出の開始時には、」「ボタン表示装置５ｃにおいて、第２の個別演出に係るタイマ画像Ｔに残り時間の初期値ｆとして６０［ｓ］が表示され（図４２（ａ））、当該タイマ予告演出の開始に応じて、」「第２の個別演出に係る残り時間のカウントダウンが開始され、」「ボタン表示装置５ｃの第２の個別演出に係る残り時間が３７［ｓ］となる際に、メイン画像表示装置３１の表示画面３１ａにおいて、第３の個別演出に係るタイマ画像ｔに残り時間の初期値ｆとして６４．００［ｓ］が表示されて（図４２（ｃ））、第３の個別演出に係る残り時間のカウントダウンが開始され」るものであり、「第２の個別演出」（第１タイマー演出）と「第３の個別演出」（第２タイマー演出）の開始時期がずれている。
　したがって、引用発明の特定事項ｃ、ｅ、ｃ１、ｆ、ｇは、本願補正発明の特定事項Ｆに相当する特定事項を有している。
　
（ｇ）上記（ｆ）において既に検討したように、「第２の個別演出」（第１タイマー演出）、及び「第３の個別演出」（第２タイマー演出）は、「変動表示」（遊技演出）の実行中に行われるものである。
　また、「第２の個別演出」（第１タイマー演出）、及び「第３の個別演出」（第２タイマー演出）が行われる「「タイマ予告演出パターン１６」に基づくタイマ予告演出」は、途中で「演出図柄ｚ１、ｚ２」が完全に停止表示されることはないから、１回の「演出図柄ｚ１、ｚ２」の変動表示中に行われるものであり、同一の変動表示（遊技演出）中に行われるものである。
　そして、引用発明は「ボタン表示装置５ｃの第２の個別演出に係る残り時間が３７［ｓ］となる際に、メイン画像表示装置３１の表示画面３１ａにおいて、第３の個別演出に係るタイマ画像ｔに残り時間の初期値ｆとして６４．００［ｓ］が表示されて（図４２（ｃ））、第３の個別演出に係る残り時間のカウントダウンが開始され、第２の個別演出に係る残り時間及び第３の個別演出に係る残り時間のカウントダウンが進行し、メイン画像表示装置３１の表示画面３１ａの第３の個別演出に係る残り時間が、２７．００［ｓ］となる際に、第２の個別演出に係る残り時間がタイムアウトし、ボタン表示装置５ｃに００［ｓ］が表示され」るから、「第２の個別演出」（第１タイマー演出）と「第３の個別演出」（第２タイマー演出）の実行期間が重複する場合がある。
　したがって、引用発明の「ボタン表示装置５ｃの第２の個別演出に係る残り時間が３７［ｓ］となる際に、メイン画像表示装置３１の表示画面３１ａにおいて、第３の個別演出に係るタイマ画像ｔに残り時間の初期値ｆとして６４．００［ｓ］が表示されて（図４２（ｃ））、第３の個別演出に係る残り時間のカウントダウンが開始され、第２の個別演出に係る残り時間及び第３の個別演出に係る残り時間のカウントダウンが進行し、メイン画像表示装置３１の表示画面３１ａの第３の個別演出に係る残り時間が、２７．００［ｓ］となる際に、第２の個別演出に係る残り時間がタイムアウトし、ボタン表示装置５ｃに００［ｓ］が表示され」るときまでは、本願補正発明の「前記第１タイマー演出の実行期間と前記第２タイマー演出の実行期間とが重複する場合」に相当する。
　さらに、引用発明の「ボタン表示装置５ｃにおいて、第２の個別演出に係るタイマ画像Ｔに残り時間の初期値ｆとして６０［ｓ］が表示され（図４２（ａ））、当該タイマ予告演出の開始に応じて、第１の個別演出に係る残り時間のカウントダウンが開始されるとともに、第２の個別演出に係る残り時間のカウントダウンが開始され、ボタン表示装置５ｃの第２の個別演出に係る残り時間が５１［ｓ］となる」ときまでは、「第２の個別演出」（第１タイマー演出）は実行されているが、「第３の個別演出」（第２タイマー演出）は実行されていないから、「第２の個別演出」（第１タイマー演出）と「第３の個別演出」（第２タイマー演出）の実行期間が重複しない場合がある。
　加えて、引用発明の「第３の個別演出に係る残り時間のカウントダウンが進行し、メイン画像表示装置３１の表示画面３１ａの第３の個別演出に係る残り時間が、１３．００［ｓ］となる際に、ボタン表示装置５ｃでは個別演出に係る残り時間の表示はなしであり（図４２（ｅ））、ボタン表示装置５ｃで個別演出に係る残り時間の表示がない状態で、第３の個別演出に係る残り時間がタイムアウトし、メイン画像表示装置３１の表示画面３１ａに００．００［ｓ］が表示され」るときまでは、「第３の個別演出」（第２タイマー演出）は実行されているが、「第２の個別演出」（第１タイマー演出）は実行されていないから、「第２の個別演出」（第１タイマー演出）と「第３の個別演出」（第２タイマー演出）の実行期間が重複しない場合がある。
　したがって、引用発明の「ボタン表示装置５ｃにおいて、第２の個別演出に係るタイマ画像Ｔに残り時間の初期値ｆとして６０［ｓ］が表示され（図４２（ａ））、当該タイマ予告演出の開始に応じて、第１の個別演出に係る残り時間のカウントダウンが開始されるとともに、第２の個別演出に係る残り時間のカウントダウンが開始され、ボタン表示装置５ｃの第２の個別演出に係る残り時間が５１［ｓ］となる」ときまでと、「第３の個別演出に係る残り時間のカウントダウンが進行し、メイン画像表示装置３１の表示画面３１ａの第３の個別演出に係る残り時間が、１３．００［ｓ］となる際に、ボタン表示装置５ｃでは個別演出に係る残り時間の表示はなしであり（図４２（ｅ））、ボタン表示装置５ｃで個別演出に係る残り時間の表示がない状態で、第３の個別演出に係る残り時間がタイムアウトし、メイン画像表示装置３１の表示画面３１ａに００．００［ｓ］が表示され」るときまでは、本願補正発明の「前記第１タイマー演出の実行期間と前記第２タイマー演出の実行期間とが重複しない場合」に相当する。
　よって、引用発明の特定事項ｃ、ｅ、ｃ１、ｆ、ｇは、本願補正発明の特定事項Ｇに相当する特定事項を有している。
（ｈ）引用発明の「パチンコ機１」は、本願補正発明の「遊技機」に相当する。
　上記（ａ）〜（ｈ）から、本願補正発明と引用発明とは、
［一致点］
「Ａ　遊技者に有利な特別遊技を実行するか否かを判定し、前記判定の結果に応じた種類の遊技演出を実行可能な遊技機において、
Ｂ　前記遊技演出の実行中において、前記特別遊技が実行されることを期待させる特定演出を実行することが可能な特定演出実行手段と、
Ｃ’　前記特定演出の実行時期に特定表示となるように、所定の画像表示手段に表示させたタイマーを更新するタイマー演出を実行することが可能なタイマー演出実行手段と、を備え、
Ｄ　前記特定演出には、
　少なくとも第１特定演出と、該第１特定演出とは異なる第２特定演出とがあり、
Ｅ　前記タイマー演出には、
　前記第１特定演出の実行時期に前記特定表示となる第１タイマー演出と、前記第２特定演出の実行時期に前記特定表示となる第２タイマー演出とがあり、
Ｃ　前記タイマー演出実行手段は、
Ｃ１　前記タイマーが前記特定表示となった後で実行される前記特定演出の種類に基づいて、複数のタイマー値のうちの何れかのタイマー値で前記タイマー演出を実行可能であり、
Ｆ　前記第１特定演出及び前記第２特定演出が実行される前記遊技演出の実行中において、前記第１タイマー演出と前記第２タイマー演出とを開始時期をずらして実行可能であり、
Ｇ　前記第１タイマー演出及び前記第２タイマー演出が実行される同一の前記遊技演出において、前記第１タイマー演出の実行期間と前記第２タイマー演出の実行期間とが重複する場合と、前記第１タイマー演出の実行期間と前記第２タイマー演出の実行期間とが重複しない場合とがある
Ｈ　ことを特徴とする遊技機。」
　である点で一致し、以下の点で相違する。  
［相違点］（特定事項Ｃ）
　「前記特定演出の実行時期に特定表示となるように、」「タイマーを更新するタイマー演出を実行する」「所定の画像表示手段」に関して、
　本願補正発明は、「画像表示手段」であるのに対して、
　引用発明は、画像表示手段が「メイン画像表示装置３１」と「ボタン表示装置５ｃ」の２つの画像表示手段からなり、１つの画像表示手段でない点。
エ　判断
　上記相違点について検討する。
　本願補正発明の特定事項Ｃは、「前記特定演出の実行時期に特定表示となるように、画像表示手段に表示させたタイマーを更新するタイマー演出を実行することが可能なタイマー演出実行手段と、を備え、」であり、「画像表示手段」は、「前記特定演出の実行時期に特定表示となるように、」「タイマーを更新するタイマー演出を実行する」表示手段であるが、「画像表示手段」の個数についての限定はされていない。
　このことから、本願補正発明の「画像表示手段」は、１つの画像表示手段だけでなく、引用発明のような、「メイン画像表示装置３１」と「ボタン表示装置５ｃ」の２つの画像表示手段である場合も、含むといえる。
　したがって、上記相違点は、実質的な相違点ではなく、本願補正発明は、引用発明である。
　仮に、上記相違点が実質的な相違点であるとした場合について検討する。
　引用文献１の上記イ　イ−１の記載である【０１７４】には「複数の個別演出を並行して実行する構成としても構わない・・・メイン画像表示装置３１の表示画面３１ａにおいて、複数の個別演出のそれぞれに対応するタイマ画像ｔが表示される（複数のタイマ画像ｔが表示される）」と記載されているから、「メイン画像表示装置３１」に複数の個別演出（タイマー演出）を表示させることは可能であるといえる。
　また、遊技機の技術分野において、演出効果を向上させるために、１つの画像表示装置に、複数のタイマー画像を表示することは、上記引用文献１（【０１７４】等参照）、特開２０１５−８５０８２号公報（演出表示部２００ａに同時に３つの表示タイマ画像Ｈが表示され（【０３６４】）、表示タイマ画像Ｈは、所定の演出が実行されるまでの残り時間（秒）を示すものであり、０．０になるまで、０．１秒間隔で残り時間（表示時間）が更新、減算表示され、各表示タイマ画像Ｈ１〜Ｈ３の表示時間が更新され、表示タイマ画像Ｈ１の表示時間が０．０になると、演出表示部２００ａに「チャンス」と表示され（【０３６５】、図４５（ｃ））、その後、さらに、所定時間が経過して表示タイマ画像Ｈ２の表示時間が０．０になると、今度は、演出表示部２００ａに「激熱」と表示される（【０３７２】、図４５（ｇ））遊技機１００（【００１３】）が記載されている。図４５も参照。）、特開２０１６−１６２８０号公報（メイン画像表示装置３１の表示画面３１ａにおいて（【０１３１】）、「３回タイマ予告」では、当該タイマ予告演出の開始時に、当該タイマ予告演出において実行される複数回の個別演出に係るタイマ画像ｔの全てを表示（複数のタイマ画像ｔを表示）する（【０１７７】）パチンコ機１（【０１７８】）が記載されている。図２２〜２３、２６〜３１も参照。）に記載されているように周知（以下、「周知技術」という。）である。
　そして、引用発明と周知技術とは、共に１つの画像表示装置に、複数のタイマー画像を表示する遊技機の技術であり、技術分野及び機能が共通している。 
　さらに、引用文献１の【０００４】には「本発明の課題は、演出効果を向上することにある。」と記載されており、引用発明も演出効果を向上させる効果を有している。
　したがって、引用発明に、上記周知技術を適用して、「メイン画像表示装置３１の表示画面３１ａ」に、「第３の個別演出に係るタイマ画像ｔ」を表示することに加えて、「ボタン表示装置５ｃにおいて」表示される「第２の個別演出に係るタイマ画像Ｔ」の表示内容を表示するようにして、上記相違点に係る本願補正発明とすることは、当業者が容易になし得たことである。
　
オ　請求人の主張について
　請求人は審判請求書の３．（４）において、
「確かに、引用文献１のタイマ予告演出パターン６は、１回目の擬似連を示唆する第１タイマ演出の実行期間と、リーチ演出を示唆する第３タイマ演出の実行期間とが重複するようになっています。
　しかしながら、２つのタイマ演出の実行期間が重複するようになっているのは、第１タイマ演出がメイン画像表示装置３１で実行され、第３タイマ演出がボタン表示装置５ｃで実行されるからであり、２つのタイマ演出が別々の装置で実行されるからです。」と主張する。
　しかしながら、引用発明の「メイン画像表示装置３１」、「ボタン表示装置５ｃ」は、それぞれ、「タイマ画像ｔ」、「タイマ画像Ｔ」を表示するから、「画像表示手段」であるとともに、本願補正発明の特定事項Ｃは「前記特定演出の実行時期に特定表示となるように、画像表示手段に表示させたタイマーを更新するタイマー演出を実行することが可能なタイマー演出実行手段と、を備え、」であり、「画像表示手段」の個数についての限定はされていないから、本願補正発明の「画像表示手段」は、１つの画像表示手段だけでなく、引用発明のような、「メイン画像表示装置３１」と「ボタン表示装置５ｃ」の２つの画像表示手段である場合も、含むといえる。
　仮に、２つの画像表示手段である点が相違点であるとしても、上記「エ　判断」において既に検討したように、遊技機の技術分野において、演出効果を向上させるために、１つの画像表示装置に、複数のタイマー画像を表示することは、周知技術であるから、引用発明に、上記周知技術を適用して、「メイン画像表示装置３１の表示画面３１ａ」に、「第３の個別演出に係るタイマ画像ｔ」を表示することに加えて、「ボタン表示装置５ｃにおいて」表示される「第２の個別演出に係るタイマ画像Ｔ」の表示内容を表示するようにして、上記相違点に係る本願補正発明とすることは、当業者が容易になし得たことである。
　また、請求人は審判請求書の３．（４）において、
「つまり、引用文献１のタイマ予告演出パターン６を参照したとしても、段落０１２５の記載がある以上は、メイン画像表示装置３１で実行される２つのタイマ予告演出の実行期間を重複させるという着想に至るのは容易ではないと考えられます。
　この点について審査官殿は、当業者が容易に想到し得るものであるとご認定ですが、このようなご認定は、引用文献１の段落０１２５の記載を根底から覆すものであり、引用文献１に記載された技術の範疇を超えるものであると考えられます。」と主張する。
　しかしながら、引用発明は「ボタン表示装置５ｃの第２の個別演出に係る残り時間が３７［ｓ］となる際に、メイン画像表示装置３１の表示画面３１ａにおいて、第３の個別演出に係るタイマ画像ｔに残り時間の初期値ｆとして６４．００［ｓ］が表示されて（図４２（ｃ））、第３の個別演出に係る残り時間のカウントダウンが開始され、第２の個別演出に係る残り時間及び第３の個別演出に係る残り時間のカウントダウンが進行し、メイン画像表示装置３１の表示画面３１ａの第３の個別演出に係る残り時間が、２７．００［ｓ］となる際に、第２の個別演出に係る残り時間がタイムアウトし、ボタン表示装置５ｃに００［ｓ］が表示され」るから、引用発明は、「第２の個別演出」（第１タイマー演出）と「第３の個別演出」（第２タイマー演出）の実行期間が重複する場合がある特定事項を有している。
　さらに、請求人は審判請求書の３．（４）において、
「補正後の本願請求項１では、第１タイマ演出と第２タイマ演出とが実行される同一の遊技演出において、第１タイマ演出の実行期間と第２タイマ演出の実行期間とが重複する場合と重複しない場合とがあります。
　これに対し、引用文献１では、タイマ予告演出パターン７とタイマ予告演出パターン１６とが同一の遊技演出において実行されるのか否かが不明となっています。
　そのため、仮にタイマ予告演出パターン７の第１タイマ演出の実行期間と第２タイマ演出の実行期間とを重複させるという着想に至ったとしても、同一の遊技演出において第１タイマ演出の実行期間と第２タイマ演出の実行期間とが重複する場合と重複しない場合とを設けるといった着想に至るのは容易ではないと考えられます。
　このように、上記相違点については、引用文献１に記載された技術の範疇を超えるものであり、引用文献１を参照したとしても容易に想起し得るものではないと考えられます。
　してみれば、本願発明は、引用文献１を参照した当業者であっても容易に想起することができない独特の構成要件及び作用効果を具備するものであるから、進歩性を有するものと思料致します。」と主張する。
　しかしながら、上記「ウ　対比」「（ｂ、ｄ）」において既に検討したように、「タイマ予告演出パターン１６」では、引用発明の「リーチ演出」及び「チャンスアップ演出」は、それぞれ、本願補正発明の「第１特定演出」及び「第２特定演出」に相当し、上記「ウ　対比」の「（ｇ）」において既に検討したように、「メイン画像表示装置３１の表示画面３１ａにおいて、第３の個別演出に係るタイマ画像ｔに残り時間の初期値ｆとして６４．００［ｓ］が表示されて（図４２（ｃ））」から、「メイン画像表示装置３１の表示画面３１ａの第３の個別演出に係る残り時間が、２７．００［ｓ］となる」までと、「ボタン表示装置５ｃの第２の個別演出に係る残り時間が３７［ｓ］となる」ときから、「ボタン表示装置５ｃに００［ｓ］が表示され」るまでとは実行期間が重複するから、「メイン画像表示装置３１の表示画面３１ａの第３の個別演出」（第２タイマー演出）と「ボタン表示装置５ｃの第２の個別演出」（第１タイマー演出）とは実行期間が重複する場合がある。
　また、「ボタン表示装置５ｃにおいて、第２の個別演出に係るタイマ画像Ｔに残り時間の初期値ｆとして６０［ｓ］が表示され（図４２（ａ））」てから、「ボタン表示装置５ｃの第２の個別演出に係る残り時間が５１［ｓ］となる」ときまでは、「第３の個別演出」（第２タイマー演出）は行われておらず、「メイン画像表示装置３１の表示画面３１ａの第３の個別演出に係る残り時間が、１３．００［ｓ］となる」ときから、「メイン画像表示装置３１の表示画面３１ａに００．００［ｓ］が表示され」るときまでは、「第２の個別演出」（第１タイマー演出）は行われていないから、「第２の個別演出」（第１タイマー演出）と「第３の個別演出」（第２タイマー演出）との実行期間が重複しない場合がある。
　これらのことから、本願補正発明の特定事項Ｇは、引用発明と対比したときの相違点にならないので、請求人の主張を採用することはできない。
カ　まとめ
　したがって、本願補正発明は、特許法第２９条第１項第３号、又は特許法第２９条第２項の規定に基づいて特許出願の際独立して特許を受けることができない。
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正（令和１年５月２２日にされた手続補正）は上記第２のとおり却下されたので、本願の請求項１に係る発明（以下「本願発明」という。）は、平成３０年１０月１日にされた手続補正により補正された、上記第２［理由］１で前述した特許請求の範囲の請求項１に記載された事項により特定される次のとおりのものである（Ａ２、Ｂ、Ｃ２、Ｄ〜Ｅ、Ｃ１２、Ｆ〜Ｇは、本願発明を分説するために当審で付与した。）。
「【請求項１】
Ａ２　遊技者に有利な特別遊技を実行するか否かを判定し、該判定結果に応じた遊技演出を実行可能な遊技機において、
Ｂ　前記遊技演出の実行中において、前記特別遊技が実行されることを期待させる特定演出を実行することが可能な特定演出実行手段と、
Ｃ２　前記特定演出の実行時期に特定表示となるように、表示手段に表示させたタイマーを更新するタイマー演出を実行することが可能なタイマー演出実行手段と、を備え、
Ｄ　前記特定演出には、
　少なくとも第１特定演出と、該第１特定演出とは異なる第２特定演出とがあり、
Ｅ　前記タイマー演出には、
　前記第１特定演出の実行時期に前記特定表示となる第１タイマー演出と、前記第２特定演出の実行時期に前記特定表示となる第２タイマー演出とがあり、
Ｃ２　前記タイマー演出実行手段は、
Ｃ１２　前記タイマーが前記特定表示となった後で実行される前記特定演出の種類に基づいて、前記タイマーの時間を設定し、
Ｆ　前記第１特定演出及び前記第２特定演出が実行される前記遊技演出の実行中において、前記第１タイマー演出と前記第２タイマー演出とを開始時期をずらして実行可能である
Ｇ　ことを特徴とする遊技機。」
２　原査定の拒絶の理由の概要
　平成３１年１月１０日付けの原査定の拒絶の理由の概要は、以下のとおりのものである。
１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　　　　記
●理由１（新規性）、理由２（進歩性）について
・請求項１
・引用文献等　１又は２
引用文献１：特開２０１６−１０５０８号公報
引用文献２：特開２０１６−１０１１８４号公報
３　引用文献
　原査定の拒絶の理由で引用された本願の出願遡及日前に頒布された又は電気通信回線を通じて公衆に利用可能となった引用文献１の記載事項及び引用発明の認定については、上記第２［理由］２（５）「イ　引用文献に記載された事項」「イ−１　引用文献１」に記載したとおりである。
４　対比・判断
　本願発明と引用発明とを対比する。
　本願発明は、上記第２［理由］で検討した本願補正発明に対し、「判定
の
種類の
画像
複数のタイマー値のうちの何れかのタイマー値で前記タイマー演出を実行可能であ
　そうすると、本願補正発明は本願発明の特定事項をすべて含み、さらに他の構成要件を付加したものであるから、本願発明と引用発明とを対比したときの相違点は、上記第２［理由］２（５）ウの［相違点］の「
画像
［相違点２］（特定事項Ｃ１２）
　「前記特定演出の実行時期に特定表示となるように、」「タイマーを更新するタイマー演出を実行する」「所定の表示手段」に関して、
　本願補正発明は、「表示手段」であるのに対して、
　引用発明は、表示手段が「メイン画像表示装置３１」と「ボタン表示装置５ｃ」の２つの表示手段からなり、１つの表示手段でない点。
　本願補正発明と引用発明とを対比したときの相違点についての判断は、上記第２［理由］２（５）エにおいて既に検討したとおり、相違点は実質的な相違点ではなく、本願補正発明は引用発明であり、仮に、引用発明の画像表示装置が「メイン画像表示装置３１」と「ボタン表示装置５ｃ」の２つの画像表示手段からなり、１つの画像表示手段でない点が実質的な相違点であるとしても、引用発明及び周知技術に基づいて、当業者が容易に発明をすることができたものであるから、本願発明と引用発明とを対比したときの相違点についての判断も、同様の理由により、相違点２は実質的な相違点ではなく、本願発明は引用発明であり、仮に、引用発明の表示装置が「メイン画像表示装置３１」と「ボタン表示装置５ｃ」の２つの表示手段からなり、１つの表示手段でない点が実質的な相違点であるとしても、引用発明及び周知技術に基づいて、当業者が容易に発明をすることができたものである。
５　むすび
　以上のとおりであるから、本願発明は、特許法第２９条第１項第３号、又は特許法第２９条第２項の規定により特許を受けることができない。
　したがって、本願は、拒絶されるべきものである。  
　よって、結論のとおり審決する。